(57)【要約】  本発明は、キャリアのバックワードチャネルの初期送信電力を決定する方法を提供し、参照バックワードキャリアが既に存在するマルチキャリアシステムにおいて、バックワードキャリアを新たに確立する必要がある場合、既に存在する参照バックワードキャリアのパイロット送信電力に基づいて当該新たに確立されるバックワードキャリアのバックワードチャネルの初期送信電力を決定することを含む。本発明は、現在既に存在するバックワードキャリアの送信電力に基づいて、新たに確立するバックワードキャリアのパイロット送信電力を算出することにより、電力をなるべく迅速に収束し、システムの干渉を低減し、且つ無線通信の安定速度を高める。
2009505533.tif 000002
【特許請求の範囲】
【請求項１】
キャリアのバックワードチャネルの初期送信電力を決定する方法であって、
参照バックワードキャリアが既に存在するマルチキャリアシステムにおいて、バックワードキャリアを新たに確立する必要がある場合、既に存在する参照バックワードキャリアのパイロット送信電力に基づいて、当該新たに確立されるバックワードキャリアのバックワードチャネルの初期送信電力を決定することを含む、ことを特徴とするキャリアのバックワードチャネルの初期送信電力を決定する方法。
【請求項２】
前記既に存在する参照バックワードキャリアは、システムがシグナリングを介して端末に指定した一部又は全部の既に存在するバックワードキャリアを含む、ことを特徴とする請求項１に記載のキャリアのバックワードチャネルの初期送信電力を決定する方法。
【請求項３】
既に存在する参照フォーワードキャリアのパイロット受信電力に基づいて、当該新たに確立されるバックワードキャリアのバックワードチャネルの初期送信電力を決定することをさらに含み、
前記既に存在する参照フォーワードキャリアは、システムがシグナリングを介して端末に指定した一部又は全部の既に存在するフォーワードキャリア、又は参照バックワードキャリアに対応するフォーワードキャリア及び新たに確立されるバックワードキャリアに対応するフォーワードキャリアを含む、ことを特徴とする請求項１に記載のキャリアのバックワードチャネルの初期送信電力を決定する方法。
【請求項４】
システムにより端末の参照バックワードキャリアを指定し、且つ当該参照バックワードキャリアのパイロット送信電力に基づいて、当該新たに確立されるバックワードキャリアのバックワードチャネルの初期送信電力を決定することを含む、ことを特徴とする請求項１に記載のキャリアのバックワードチャネルの初期送信電力を決定する方法。
【請求項５】
新たに確立されるバックワードキャリアと周波数間隔が最も近いバックワードキャリアを参照バックワードキャリアとすることを含む、ことを特徴とする請求項４に記載のキャリアのバックワードチャネルの初期送信電力を決定する方法。
【請求項６】
前記当該新たに確立されるバックワードキャリアのバックワードチャネルの初期送信電力を決定する処理は、
全ての参照バックワードキャリアのパイロット送信電力中の最小値に基づいて当該新たに確立されるバックワードキャリアのバックワードチャネルの初期送信電力を決定し、又は、
全ての参照バックワードキャリアのパイロット送信電力中の最大値に基づいて、当該新たに確立されるバックワードキャリアのバックワードチャネルの初期送信電力を決定し、又は、
全ての参照バックワードキャリアのパイロット送信電力の加重平均値に基づいて、当該新たに確立されるバックワードキャリアのバックワードチャネルの初期送信電力を決定する、
ことを含むことを特徴とする請求項１に記載のキャリアのバックワードチャネルの初期送信電力を決定する方法。
【請求項７】
加重平均値を求める場合、各参照バックワードキャリアのパイロット送信電力の加重係数は、システムにより送信され又は予め指定される、ことを特徴とする請求項６に記載のキャリアのバックワードチャネルの初期送信電力を決定する方法。
【請求項８】
前記当該新たに確立されるバックワードキャリアのバックワードチャネルの初期送信電力を決定する処理は、
既に存在する参照フォーワードキャリアＦＬ１のアクセスパラメータ、即ち、オープンループ電力調整ＯｐｅｎＬｏｏｐＡｄｊｕｓｔ＿ＦＬ１と、アクセスプローブ初期調整ＰｒｏｂｅＩｎｉｔｉａｌＡｄｊｕｓｔ＿ＦＬ１と、参照フォーワードキャリアのパイロット受信電力Ｐｉｌｏｔ＿Ｐｏｗｅｒ＿ＦＬ１と、前記参照フォーワードキャリアに対応する参照バックワードキャリアＲＬ１のパイロット送信電力ＰｉｌｏｔＰｏｗｅｒ＿ＲＬ１とを決定し、且つ当該参照フォーワードバックワードキャリア対ＦＬ１／ＲＬ１に対応する電力参照値、Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−ＯｐｅｎＬｏｏｐＡｄｊｕｓｔ＿ＦＬ１−ＰｒｏｂｅＩｎｉｔｉａｌＡｄｊｕｓｔ＿ＦＬ１を算出し、又は、システムがシグナリングを介して調整パラメータＡｄｊｕｓｔＰａｒａｍｅｔｅｒを送信して、Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−ＡｄｊｕｓｔＰａｒａｍｅｔｅｒを算出し、前記ＡｄｊｕｓｔＰａｒａｍｅｔｅｒは、参照フォーワードキャリアのパイロット送信電力と、新たに確立されるバックワードキャリアに対応するフォーワードキャリアのパイロット送信電力と、参照バックワードキャリアの平均受信電力と、新たに確立されるバックワードキャリアの平均受信電力とに基づいて決定され、
既に存在するすべてのフォーワードバックワードキャリア対に対応する電力参照値に基づいて、前記新たに確立されるバックワードキャリアのパイロット初期送信電力Ｉｎｉｔｉａｌ  Ｐｉｌｏｔ  Ｐｏｗｅｒ＿ＲＬを決定することを含む、ことを特徴とする請求項１〜７のいずれかに記載のキャリアのバックワードチャネルの初期送信電力を決定する方法。
【請求項９】
前記当該新たに確立されるバックワードキャリアのバックワードチャネルの初期送信電力を決定する処理は、
新たに確立されるバックワードキャリアと周波数間隔が最も近い既に存在するフォーワードバックワードキャリア対に対応する電力参照値Ｒｅｆｅｒｅｎｃｅ＿３に基づいて、新たに確立されるバックワードキャリアのパイロット初期送信電力ＩｎｉｔｉａｌＰｉｌｏｔＰｏｗｅｒ＿ＲＬ４を決定し、即ち、
ＩｎｉｔｉａｌＰｉｌｏｔＰｏｗｅｒ＿ＲＬ４＝Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）、又は、ＩｎｉｔｉａｌＰｉｌｏｔＰｏｗｅｒ＿ＲＬ４＝Ｒｅｆｅｒｅｎｃｅ＿３−Ｐｉｌｏｔ＿Ｐｏｗｅｒ＿ＦＬ４であり、
又は、既に存在するすべてのフォーワードバックワードキャリアに対応する電力参照値の加重平均値に基づいて、新たに確立されるバックワードキャリアのパイロット初期送信電力ＩｎｉｔｉａｌＰｉｌｏｔＰｏｗｅｒ＿ＲＬ４を決定し、即ち、
ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）、又は、ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−Ｐｉｌｏｔ＿Ｐｏｗｅｒ＿ＦＬ４であり、
ここで、Ｋ１、Ｋ２、Ｋ３は加重パラメータであり、予め指定され又はシステムにより送信される、ことを特徴とする請求項８に記載のキャリアのバックワードチャネルの初期送信電力を決定する方法。
【請求項１０】
前記当該新たに確立されるバックワードキャリアのバックワードチャネルの初期送信電力を決定する処理は、
当該フォーワードキャリアのアクセスパラメータ、即ち、オープンループ電力調整ＯｐｅｎＬｏｏｐＡｄｊｕｓｔ＿ＦＬ４と、アクセスプローブ初期調整ＰｒｏｂｅＩｎｉｔｉａｌＡｄｊｕｓｔ＿ＦＬ４と、参照フォーワードキャリアのパイロット受信電力Ｐｉｌｏｔ＿Ｐｏｗｅｒ＿ＦＬ４とを決定し、
新たに確立されるバックワードキャリアのパイロット初期送信電力ＩｎｉｔｉａｌＰｉｌｏｔＰｏｗｅｒ＿ＲＬ４は、ＩｎｉｔｉａｌＰｉｌｏｔＰｏｗｅｒ＿ＲＬ４＝−Ｐｉｌｏｔ＿Ｐｏｗｅｒ＿ＦＬ４＋ＯｐｅｎＬｏｏｐＡｄｊｕｓｔ＿ＦＬ４＋ＰｒｏｂｅＩｎｉｔｉａｌＡｄｊｕｓｔ＿ＦＬ４＋ＴｒａｆｆｉｃＴｏＡｃｃｅｓｓＲａｔｉｏであり、
前記ＴｒａｆｆｉｃＴｏＡｃｃｅｓｓＲａｔｉｏは、トラフィック対アクセス電力比の値であり、予め指定され又はシステムにより送信される、ことをさらに含むことを特徴とする請求項１〜７のいずれかに記載のキャリアのバックワードチャネルの初期送信電力を決定する方法。
【請求項１１】
前記新たに確立されるバックワードキャリアのバックワードチャネルの初期送信電力を決定する処理は、
前記新たに確立されるバックワードキャリアと同一周波数帯の参照バックワードキャリアが存在する場合、前記同一周波数帯の参照バックワードキャリアのパイロット送信電力に基づいて、前記新たに確立されるバックワードキャリアのバックワードチャネルの初期送信電力を決定し、
前記新たに確立されるバックワードキャリアと同一周波数帯の参照バックワードキャリアが存在しない場合、前記参照フォーワードキャリアのパイロット受信電力に基づいて、前記新たに確立されるバックワードキャリアのバックワードチャネルの初期送信電力を決定する、ことを含む、ことを特徴とする請求項１〜７のいずれかに記載のキャリアのバックワードチャネルの初期送信電力を決定する方法。
【請求項１２】
キャリアのバックワードチャネルの初期送信電力を決定する装置であって、
マルチキャリアシステムにおいて既に存在する参照バックワードキャリアを決定する、参照バックワードキャリア決定手段と、
前記決定された既に存在する参照バックワードキャリアのパイロット送信電力に基づいて、新たに確立されるバックワードキャリアのバックワードチャネルの初期送信電力を決定する、第１初期送信電力決定手段と、
を含むことを特徴とするキャリアのバックワードチャネルの初期送信電力を決定する装置。
【請求項１３】
前記参照バックワードキャリア決定手段によって決定された既に存在する参照バックワードキャリアが、システムによりシグナリングを介して端末に指定された一部又は全部の既に存在するバックワードキャリアを含む、ことを特徴とする請求項１２に記載のキャリアのバックワードチャネルの初期送信電力を決定する装置。
【請求項１４】
マルチキャリアシステムに参照バックワードキャリアが存在するか否かを判断し、存在する場合、参照バックワードキャリア決定手段と第１初期送信電力決定手段とを触発し、それでない場合、参照フォーワードキャリア決定手段と第２初期送信電力決定手段とを触発する判断処理手段と、
既に存在する参照フォーワードキャリアを決定する参照フォーワードキャリア決定手段と、
前記既に存在する参照フォーワードキャリアのパイロット受信電力に基づいて、当該新たに確立されるバックワードキャリアのバックワードチャネルの初期送信電力を決定する第２初期送信電力決定手段と、
をさらに含むことを特徴とする請求項１２に記載のキャリアのバックワードチャネルの初期送信電力を決定する装置。
【請求項１５】
前記第１初期送信電力決定手段が、  
システムにより端末に指定された参照バックワードキャリア又は新たに確立されるバックワードキャリアと周波数間隔が最も近い参照バックワードキャリアを決定し、且つ当該参照バックワードキャリアのパイロット送信電力に基づいて、前記新たに確立されるバックワードキャリアのバックワードチャネルの初期送信電力を決定する、決定されたバックワードキャリアに基づく送信電力決定手段、又は、
全ての参照バックワードキャリアのパイロット送信電力中の最小値に基づいて、前記新たに確立されるバックワードキャリアのバックワードチャネルの初期送信電力を決定する、最小値に基づく送信電力決定手段、又は、
全ての参照バックワードキャリアのパイロット送信電力中の最大値に基づいて、前記新たに確立されるバックワードキャリアのバックワードチャネルの初期送信電力を決定する、最大値に基づく送信電力決定手段、又は、
全ての参照バックワードキャリアのパイロット送信電力の加重平均値に基づいて、前記新たに確立されるバックワードキャリアのバックワードチャネルの初期送信電力を決定する、加重平均値に基づく送信電力決定手段、
を含むことを特徴とする請求項１２、１３又は１４に記載のキャリアのバックワードチャネルの初期送信電力を決定する装置。
【発明の詳細な説明】
【技術分野】
【０００１】
本発明は、無線通信技術分野に関し、特に無線通信システムにおいて新たに増加されるキャリアのバックワードチャネル（ｂａｃｋｗａｒｄ  ｃｈａｎｎｅｌ）の初期送信電力（ｉｎｉｔｉａｌ  ｔｒａｎｓｍｉｔ  ｐｏｗｅｒ）を決定する方法および装置に関する。
【背景技術】
【０００２】
無線移動通信システムにおいて、端末は、一般にバックワードアクセスチャネルを介して初期シグナリング又はショットメッセージの送信を完了する。その前に端末とシステムとの間で両方向の接続が確立されていないため、端末はオープンループ電力制御のみに基づいてアクセスチャネルの電力設定を完了し、バックワードアクセスチャネルの送信電力を決定しなければならない。
【０００３】
前記オープンループ電力値は、フォーワードリンクのパスロス及びバックワード負荷によって決められる。バックワード負荷が大きければ、アクセス成功率を確保し且つアクセス時間遅延を短縮するように、比較的大きい電力でアクセスすべきである。逆に、バックワード負荷が小さければ、比較的小さい電力でアクセスしても、過度の干渉を起こさないようになる。
【０００４】
システムにおいて、現在のバックワード負荷状況に対しては、一般に、システムによりシステムメッセージを介してブロードキャストする。このようにして、端末は当該負荷状況によってオープンループ電力制御を通じてアクセス電力を決定することができる。しかし、一般に、システムメッセージのブロードキャストの間隔が比較的長いため、ブロードキャストメッセージによってはバックワード負荷の迅速変化を正確且つ直ちに反映することができない。そこで、バックワード負荷状況によって決定されるアクセスチャネルのオープンループ電力を正確に取得することができず、さらに、合理的なバックワードアクセスチャネルの送信電力を決定することができない。
【０００５】
以下、ＣＤＭＡ２０００  １ｘ  ＥＶ−ＤＯシステムを例として、無線通信システムにおけるバックワードアクセスチャネルの送信電力の調整方法について説明する。
【０００６】
プロトコルの規定によれば、ＣＤＭＡ２０００  １ｘ  ＥＶ−ＤＯシステム（ＣＤＭＡ２０００  １Ｘに対してデータトラフィックで強化したシステム）におけるバックワードアクセスチャネルの第ｉ個のアクセスプローブ（ｐｒｏｂｅ）の送信電力Ｙは下記の式により生じる。
【０００７】
【数１】
2009505533.tif 000003
ここで、
【０００８】
【数２】
2009505533.tif 000004
である。
【０００９】
上記２つの公式に関するＰｏｗｅｒＳｔｅｐ（パワーステップ）、ＯｐｅｎＬｏｏｐＡｄｊｕｓｔ（オープンループ調整）及びＰｒｏｂｅＩｎｉｔｉａｌＡｄｊｕｓｔ（アクセスプローブ初期調整）パラメータは全てフォーワードアクセスパラメータメッセージ（ＡｃｃｅｓｓＰａｒａｍｅｔｅｒｓ  ｍｅｓｓａｇｅ）中のフィールドである。各パラメータの具体的数値は、アクセスネットワーク（ＡＮ）により決定され、ＡｃｃｅｓｓＰａｒａｍｅｔｅｒｓ  ｍｅｓｓａｇｅによってアクセス端末に送信される。このようにして、アクセス端末はＡｃｃｅｓｓＰａｒａｍｅｔｅｒｓ  ｍｅｓｓａｇｅの中から相応のパラメータメッセージを獲得し、さらにアクセスプローブの送信電力Ｙを算出することができる。
【００１０】
システムにおいて、ＡＮのＡｃｃｅｓｓＰａｒａｍｅｔｅｒｓ  ｍｅｓｓａｇｅを送信する間隔は
【００１１】
【数３】
2009505533.tif 000005
個タイムスロットを越えてはいけない。一般に、
【００１２】
【数４】
2009505533.tif 000006
のデフォルト値は７６８である。
【発明の開示】
【発明が解決しようとする課題】
【００１３】
上記からわかるように、上記無線通信システムにおいて、バックワードアクセスチャネルの送信電力の算出方法のみが定義されており、バックワードキャリアのバックワードトラフィックチャネルが既に存在する場合の新たに増加されるキャリアの送信電力の算出方法については具体的な実現方案が提出されていない。
【００１４】
本発明は、電力をなるべく迅速に収束し、システムの干渉を低減し、且つ無線通信の安定速度を高める、キャリアのバックワードチャネルの初期送信電力を決定する方法および装置を提供することを目的とする。
【課題を解決するための手段】
【００１５】
本発明の目的は下記の解決手段によって実現される。
【００１６】
キャリアのバックワードチャネルの初期送信電力を決定する方法であって、参照バックワードキャリアが既に存在するマルチキャリアシステムにおいて、バックワードキャリアを新たに確立する必要がある場合、既に存在する参照バックワードキャリアのパイロット送信電力に基づいて、当該新たに確立されるバックワードキャリアのバックワードチャネルの初期送信電力を決定することを含む。
【００１７】
前記既に存在する参照バックワードキャリアは、システムがシグナリングを介して端末に指定した一部又は全部の既に存在するバックワードキャリアを含む。
【００１８】
既に存在する参照フォーワードキャリアのパイロット受信電力に基づいて、当該新たに確立されるバックワードキャリアのバックワードチャネルの初期送信電力を決定することをさらに含み、前記既に存在する参照フォーワードキャリアは、システムがシグナリングを介して端末に指定した一部又は全部の既に存在するフォーワードキャリア、又は参照バックワードキャリアに対応するフォーワードキャリア及び新たに確立されるバックワードキャリアに対応するフォーワードキャリアを含む。
【００１９】
システムにより端末の参照バックワードキャリアを指定し、且つ当該参照バックワードキャリアのパイロット送信電力に基づいて、当該新たに確立されるバックワードキャリアのバックワードチャネルの初期送信電力を決定することを含む。
【００２０】
新たに確立されるバックワードキャリアと周波数間隔が最も近いバックワードキャリアを参照バックワードキャリアとすることを含む。
【００２１】
前記当該新たに確立されるバックワードキャリアのバックワードチャネルの初期送信電力を決定する処理は、全ての参照バックワードキャリアのパイロット送信電力中の最小値に基づいて当該新たに確立されるバックワードキャリアのバックワードチャネルの初期送信電力を決定し、又は、全ての参照バックワードキャリアのパイロット送信電力中の最大値に基づいて、当該新たに確立されるバックワードキャリアのバックワードチャネルの初期送信電力を決定し、又は、全ての参照バックワードキャリアのパイロット送信電力の加重平均値に基づいて、当該新たに確立されるバックワードキャリアのバックワードチャネルの初期送信電力を決定する、ことを含む。
【００２２】
加重平均値を求める場合、各参照バックワードキャリアのパイロット送信電力の加重係数は、システムにより送信され又は予め指定される。
【００２３】
前記当該新たに確立されるバックワードキャリアのバックワードチャネルの初期送信電力を決定する処理は、既に存在する参照フォーワードキャリアＦＬ１のアクセスパラメータ、即ち、オープンループ電力調整ＯｐｅｎＬｏｏｐＡｄｊｕｓｔ＿ＦＬ１と、アクセスプローブ初期調整ＰｒｏｂｅＩｎｉｔｉａｌＡｄｊｕｓｔ＿ＦＬ１と、参照フォーワードキャリアのパイロット受信電力Ｐｉｌｏｔ＿Ｐｏｗｅｒ＿ＦＬ１と、前記参照フォーワードキャリアに対応する参照バックワードキャリアＲＬ１のパイロット送信電力ＰｉｌｏｔＰｏｗｅｒ＿ＲＬ１とを決定し、且つ当該参照フォーワードバックワードキャリア対ＦＬ１／ＲＬ１に対応する電力参照値、Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−ＯｐｅｎＬｏｏｐＡｄｊｕｓｔ＿ＦＬ１−ＰｒｏｂｅＩｎｉｔｉａｌＡｄｊｕｓｔ＿ＦＬ１を算出し、又は、システムがシグナリングを介して調整パラメータＡｄｊｕｓｔＰａｒａｍｅｔｅｒを送信して、Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−ＡｄｊｕｓｔＰａｒａｍｅｔｅｒを算出し、前記ＡｄｊｕｓｔＰａｒａｍｅｔｅｒは、参照フォーワードキャリアのパイロット送信電力と、新たに確立されるバックワードキャリアに対応するフォーワードキャリアのパイロット送信電力と、参照バックワードキャリアの平均受信電力と、新たに確立されるバックワードキャリアの平均受信電力とに基づいて決定され、既に存在するすべてのフォーワードバックワードキャリア対に対応する電力参照値に基づいて、前記新たに確立されるバックワードキャリアのパイロット初期送信電力Ｉｎｉｔｉａｌ  Ｐｉｌｏｔ  Ｐｏｗｅｒ＿ＲＬを決定することを含む。
【００２４】
前記当該新たに確立されるバックワードキャリアのバックワードチャネルの初期送信電力を決定する処理は、新たに確立されるバックワードキャリアと周波数間隔が最も近い既に存在するフォーワードバックワードキャリア対に対応する電力参照値Ｒｅｆｅｒｅｎｃｅ＿３に基づいて、新たに確立されるバックワードキャリアのパイロット初期送信電力ＩｎｉｔｉａｌＰｉｌｏｔＰｏｗｅｒ＿ＲＬ４を決定し、即ち、ＩｎｉｔｉａｌＰｉｌｏｔＰｏｗｅｒ＿ＲＬ４＝Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）、又は、ＩｎｉｔｉａｌＰｉｌｏｔＰｏｗｅｒ＿ＲＬ４＝Ｒｅｆｅｒｅｎｃｅ＿３−Ｐｉｌｏｔ＿Ｐｏｗｅｒ＿ＦＬ４であり、又は、既に存在するすべてのフォーワードバックワードキャリアに対応する電力参照値の加重平均値に基づいて、新たに確立されるバックワードキャリアのパイロット初期送信電力ＩｎｉｔｉａｌＰｉｌｏｔＰｏｗｅｒ＿ＲＬ４を決定し、即ち、ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）、又は、ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−Ｐｉｌｏｔ＿Ｐｏｗｅｒ＿ＦＬ４であり、ここで、Ｋ１、Ｋ２、Ｋ３は加重パラメータであり、予め指定され又はシステムにより送信される。
【００２５】
前記当該新たに確立されるバックワードキャリアのバックワードチャネルの初期送信電力を決定する処理は、当該フォーワードキャリアのアクセスパラメータ、即ち、オープンループ電力調整ＯｐｅｎＬｏｏｐＡｄｊｕｓｔ＿ＦＬ４と、アクセスプローブ初期調整ＰｒｏｂｅＩｎｉｔｉａｌＡｄｊｕｓｔ＿ＦＬ４と、参照フォーワードキャリアのパイロット受信電力Ｐｉｌｏｔ＿Ｐｏｗｅｒ＿ＦＬ４とを決定し、新たに確立されるバックワードキャリアのパイロット初期送信電力ＩｎｉｔｉａｌＰｉｌｏｔＰｏｗｅｒ＿ＲＬ４は、ＩｎｉｔｉａｌＰｉｌｏｔＰｏｗｅｒ＿ＲＬ４＝−Ｐｉｌｏｔ＿Ｐｏｗｅｒ＿ＦＬ４＋ＯｐｅｎＬｏｏｐＡｄｊｕｓｔ＿ＦＬ４＋ＰｒｏｂｅＩｎｉｔｉａｌＡｄｊｕｓｔ＿ＦＬ４＋ＴｒａｆｆｉｃＴｏＡｃｃｅｓｓＲａｔｉｏであり、前記ＴｒａｆｆｉｃＴｏＡｃｃｅｓｓＲａｔｉｏは、トラフィック対アクセス電力比の値であり、予め指定され又はシステムにより送信される、ことをさらに含む。
【００２６】
前記新たに確立されるバックワードキャリアのバックワードチャネルの初期送信電力を決定する処理は、前記新たに確立されるバックワードキャリアと同一周波数帯の参照バックワードキャリアが存在する場合、前記同一周波数帯の参照バックワードキャリアのパイロット送信電力に基づいて、前記新たに確立されるバックワードキャリアのバックワードチャネルの初期送信電力を決定し、前記新たに確立されるバックワードキャリアと同一周波数帯の参照バックワードキャリアが存在しない場合、前記参照フォーワードキャリアのパイロット受信電力に基づいて、前記新たに確立されるバックワードキャリアのバックワードチャネルの初期送信電力を決定する、ことをさらに含む。
【００２７】
キャリアのバックワードチャネルの初期送信電力を決定する装置であって、マルチキャリアシステムにおいて既に存在する参照バックワードキャリアを決定する、参照バックワードキャリア決定手段と、前記決定された既に存在する参照バックワードキャリアのパイロット送信電力に基づいて、新たに確立されるバックワードキャリアのバックワードチャネルの初期送信電力を決定する、第１初期送信電力決定手段と、を含む。
【００２８】
前記参照バックワードキャリア決定手段によって決定された既に存在する参照バックワードキャリアが、システムによりシグナリングを介して端末に指定された一部又は全部の既に存在するバックワードキャリアを含む。
【００２９】
マルチキャリアシステムに参照バックワードキャリアが存在するか否かを判断し、存在する場合、参照バックワードキャリア決定手段と第１初期送信電力決定手段とを触発し、それでない場合、参照フォーワードキャリア決定手段と第２初期送信電力決定手段とを触発する判断処理手段と、既に存在する参照フォーワードキャリアを決定する参照フォーワードキャリア決定手段と、前記既に存在する参照フォーワードキャリアのパイロット受信電力に基づいて、当該新たに確立されるバックワードキャリアのバックワードチャネルの初期送信電力を決定する第２初期送信電力決定手段と、をさらに含む。
【００３０】
前記第１初期送信電力決定手段が、システムにより端末に指定された参照バックワードキャリア又は新たに確立されるバックワードキャリアと周波数間隔が最も近い参照バックワードキャリアを決定し、且つ当該参照バックワードキャリアのパイロット送信電力に基づいて、前記新たに確立されるバックワードキャリアのバックワードチャネルの初期送信電力を決定する、決定されたバックワードキャリアに基づく送信電力決定手段、又は、全ての参照バックワードキャリアのパイロット送信電力中の最小値に基づいて、前記新たに確立されるバックワードキャリアのバックワードチャネルの初期送信電力を決定する、最小値に基づく送信電力決定手段、又は、全ての参照バックワードキャリアのパイロット送信電力中の最大値に基づいて、前記新たに確立されるバックワードキャリアのバックワードチャネルの初期送信電力を決定する、最大値に基づく送信電力決定手段、又は、全ての参照バックワードキャリアのパイロット送信電力の加重平均値に基づいて、前記新たに確立されるバックワードキャリアのバックワードチャネルの初期送信電力を決定する、加重平均値に基づく送信電力決定手段、を含む。
【発明の効果】
【００３１】
上記本発明により提供される解決手段からわかるように、本発明においては、現在既に存在するバックワードキャリアのパイロット送信電力に基づいて、新たに確立されるバックワードキャリアのパイロット初期電力を算出することができ、これにより、電力をなるべく迅速に収束し、システムの干渉を低減し、且つ無線通信の安定速度を高めている。
【発明を実施するための最良の形態】
【００３２】
本発明は、マルチキャストシステムにおいて、新たに増加されるバックワードキャリアのパイロット初期送信電力を、既に存在するフォーワードバックワードキャリア情報によって設定することを核心とする。
【００３３】
以下、本発明に係る方法のさらなる理解のため、図面を参照して本発明に係る方法について詳しく説明する。
【００３４】
マルチキャリアシステムにおいて、バックワードキャリアが既に存在し、さらに、バックワードキャリアを新たに確立する必要がある場合、図１に示すように当該新たに確立されるバックワードキャリアの同一周波数帯範囲内に既成のバックワードキャリアが既に存在すれば、ある予定の準則を採用して、既に存在するバックワードキャリアのパイロット送信電力およびフォーワードキャリアのパイロット受信電力に基づいて、新たに確立されるバックワードキャリアのパイロット初期送信電力を決定することができる。
【００３５】
そのうち、既に存在するバックワードキャリアのパイロット送信電力に基づいて、新たに確立されるバックワードキャリアのパイロット初期送信電力を決定する具体的方法は下記の４種を含み、以下、それぞれ説明する。
【００３６】
第１種の方法の具体的な実現において、新たに確立されるバックワードキャリアと周波数間隔が最も近いバックワードキャリア、又は他の特定の既に存在するバックワードキャリアをバックワード参照キャリアとして採用する。バックワード参照キャリアのパイロット送信電力を新たに確立されるバックワードキャリアのパイロット初期送信電力の基準とし、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、既に存在するバックワードキャリアＲＬ２のパイロット送信電力ＰｉｌｏｔＰｏｗｅｒ＿ＲＬ２と等しい。
【００３７】
第２種の方法の具体的な実現において、既に存在する全ての参照バックワードキャリアのパイロット送信電力の最小値を新たに確立されるバックワードキャリアのパイロット初期送信電力の基準とする。前記参照バックワードキャリアとして新たに確立されるバックワードキャリアと同一周波数帯内の参照バックワードキャリアを選択することができ、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、ｍｉｎ｛ＰｉｌｏｔＰｏｗｅｒ＿ＲＬ１，ＰｉｌｏｔＰｏｗｅｒ＿ＲＬ２｝と等しく、すなわち、既に存在するバックワードキャリアＲＬ１とＲＬ２とのパイロット送信電力中のより小さい値である。
【００３８】
第３種の方法の具体的な実現は、既に存在する全ての参照バックワードキャリアのパイロット送信電力の最大値を新たに確立されるバックワードキャリアのパイロット初期送信電力の基準とする。前記参照バックワードキャリアとして新たに確立されるバックワードキャリアと同一周波数帯内の参照バックワードキャリアを選択することができ、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、ｍａｘ｛ＰｉｌｏｔＰｏｗｅｒ＿ＲＬ１，ＰｉｌｏｔＰｏｗｅｒ＿ＲＬ２｝と等しく、すなわち、既に存在するバックワードキャリアＲＬ１とＲＬ２とのパイロット送信電力中のより大きい値である。
【００３９】
第４種の方法の具体的な実現は、既に存在する全ての参照バックワードキャリアのパイロット送信電力の加重平均値を新たに確立されるバックワードキャリアのパイロット初期送信電力の基準とする。前記参照バックワードキャリアとして新たに確立されるバックワードキャリアと同一周波数帯内の参照バックワードキャリアを選択することができ、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、｛Ｋ１＊ＰｉｌｏｔＰｏｗｅｒ＿ＲＬ１＋Ｋ２＊ＰｉｌｏｔＰｏｗｅｒ＿ＲＬ２｝と等しく、ここで、Ｋ１、Ｋ２は、既に存在するバックワードキャリアＲＬ１とＲＬ２とのパイロット送信電力値に対応する加重パラメータであり、具体的数値は、システムにより送信されてもよく、予め指定されてもよい。
【００４０】
本発明の実施形態における前記方法は、具体的な実現プロセスにおいて、既に存在する参照フォーワードバックワードキャリア対のアクセスパラメータ情報又は他のパラメータ情報を考慮して、当該新たに確立されるバックワードキャリアのパイロット初期送信電力を決定することをさらに含む。具体的には、当該新たに確立されるバックワードキャリアの同一周波数帯範囲内に、既に存在するバックワードキャリアがない場合に、また下記の方式を採用して新たに確立されるバックワードキャリアの初期送信電力値を決定し、すなわち、他の周波数帯に存在するフォーワードバックワードキャリア対のアクセスパラメータ情報を考えて、相応のアクセスパラメータ情報によって、当該新たに確立されるバックワードキャリアのパイロット初期送信電力を決定してよい。当該方法の具体的実現は以下を含むことができる。
【００４１】
図２に示すように、参照フォーワードバックワードキャリア対がＦ１／Ｒ１であり、参照フォーワードキャリアのアクセスパラメータがＯｐｅｎＬｏｏｐＡｄｊｕｓｔ＿ＦＬ１（オープンループ電力調整）とＰｒｏｂｅＩｎｉｔｉａｌＡｄｊｕｓｔ＿ＦＬ１（アクセスプローブ初期調整）であり、端末が受信する参照フォーワードキャリアのしたパイロット初期電力がＰｉｌｏｔ＿Ｐｏｗｅｒ＿ＦＬ１であるとすれば、参照バックワードキャリアのパイロット送信電力がＰｉｌｏｔＰｏｗｅｒ＿ＲＬ１である場合、当該参照フォーワードバックワードキャリア対ＦＬ１／ＲＬ１に対応する電力参照値Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−ＯｐｅｎＬｏｏｐＡｄｊｕｓｔ＿ＦＬ１−ＰｒｏｂｅＩｎｉｔｉａｌＡｄｊｕｓｔ＿ＦＬ１を算出する。又は、シグナリングを介して調整パラメータＡｄｊｕｓｔ  Ｐａｒａｍｅｔｅｒを送信し、このとき、Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−Ａｄｊｕｓｔ  Ｐａｒａｍｅｔｅｒである。ここで、ＡｄｊｕｓｔＰａｒａｍｅｔｅｒは、システムにより主に参照フォーワードキャリアのパイロット送信電力（Ａと設定）と、新たに確立されるバックワードキャリアに対応するフォーワードキャリアのパイロット送信電力（Ｂと設定）と、参照バックワードキャリアの平均受信電力（Ｃと設定）と、新たに確立されるバックワードキャリアの平均受信電力（Ｄと設定）とに基づいて決定され、例えば、ＡｄｊｕｓｔｍｅｎｔＰａｒａｍｅｔｅｒ＝Ａ−Ｂ＋Ｃ−Ｄであり、算出した当該値の上に、システムにより、例えばトラフィックのサービス品質（ＱｏＳ）需要に従って動的にいくらかの調整を行うなどの、他の調整をしてもよい。
【００４２】
そして、全ての既に存在するフォーワードバックワードキャリア対に対応する電力参照値の中で、最後所要の、新たに確立されるバックワードキャリアのパイロット初期送信電力ＩｎｉｔｉａｌＰｉｌｏｔＰｏｗｅｒ＿ＲＬを算出する。
【００４３】
前記算出方法は、具体的に、下記の２種を含む。
【００４４】
第１種の具体的な計算方法は以下のとおりである。
【００４５】
新たに確立されるバックワードキャリアと周波数間隔が最も近い既に存在するフォーワードバックワードキャリア対を参照フォーワードバックワードキャリア対とし、それに対応する電力参照値に基づいて、新たに確立されるバックワードキャリアのパイロット初期送信電力を算出し、例えば、図２において、新たに確立されるバックワードキャリアのパイロット初期送信電力ＩｎｉｔｉａｌＰｉｌｏｔＰｏｗｅｒ＿ＲＬ４は、
ＩｎｉｔｉａｌＰｉｌｏｔＰｏｗｅｒ＿ＲＬ４＝Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）であり、又は、ＩｎｉｔｉａｌＰｉｌｏｔＰｏｗｅｒ＿ＲＬ４＝Ｒｅｆｅｒｅｎｃｅ＿３−Ｐｉｌｏｔ＿Ｐｏｗｅｒ＿ＦＬ４である。
【００４６】
第２種の具体的な計算方法は以下のとおりである。
【００４７】
全ての参照フォーワードバックワードキャリア対に対応する電力参照値の加重平均に基づいて、新たに確立されるバックワードキャリアのパイロット初期送信電力を算出し、例えば、図２において、新たに確立されるバックワードキャリアのバックワードチャネルの初期送信電力ＩｎｉｔｉａｌＰｉｌｏｔＰｏｗｅｒ＿ＲＬ４は、
ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）、又は、ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−Ｐｉｌｏｔ＿Ｐｏｗｅｒ＿ＦＬ４である。ここで、Ｋ１、Ｋ２、Ｋ３は加重パラメータであり、予め指定され又はシステムにより送信されてもよい。
【００４８】
図２において、最も近い周波数帯の電力参照値の加重平均のみを選択すれば、Ｋ１＝０，Ｋ２＝Ｋ３＝１／２とすることができ、このとき、
ＩｎｉｔｉａｌＰｉｌｏｔＰｏｗｅｒ＿ＲＬ４＝（Ｒｅｆｅｒｅｎｃｅ＿２＋Ｒｅｆｅｒｅｎｃｅ＿３）／２−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）である。
【００４９】
本発明の実施形態において、新たに確立されるバックワードキャリアと同一周波数帯の範囲内に既に存在するバックワードキャリアがないが、同一周波数帯の範囲内にフォーワードキャリアが存在する場合、さらに下記の方法によって、新たに確立されるバックワードキャリアのパイロット初期送信電力を取得することができる。
【００５０】
具体的に、まず、上記同一周波数帯の範囲内のフォーワードキャリアのアクセスパラメータを決定し、例えば、図２においては、ＯｐｅｎＬｏｏｐＡｄｊｕｓｔ＿ＦＬ４とＰｒｏｂｅＩｎｉｔｉａｌＡｄｊｕｓｔ＿ＦＬ４とを決定し、端末が受信する上記同一周波数帯の範囲内のフォーワードキャリアのパイロット送信電力、即ち上記同一周波数帯の範囲内のフォーワードキャリアのパイロット受信電力を決定し、例えば、図２においてはＰｉｌｏｔ＿Ｐｏｗｅｒ＿ＦＬ４を決定する。
【００５１】
次に、当該新たに確立されるバックワードキャリアのパイロット初期送信電力を算出する。例えば、図２において、ＩｎｉｔｉａｌＰｉｌｏｔＰｏｗｅｒ＿ＲＬ４は、
ＩｎｉｔｉａｌＰｉｌｏｔＰｏｗｅｒ＿ＲＬ４＝−Ｐｉｌｏｔ＿Ｐｏｗｅｒ＿ＦＬ４＋ＯｐｅｎＬｏｏｐＡｄｊｕｓｔ＿ＦＬ４＋ＰｒｏｂｅＩｎｉｔｉａｌＡｄｊｕｓｔ＿ＦＬ４＋ＴｒａｆｆｉｃＴｏＡｃｃｅｓｓＲａｔｉｏである。
【００５２】
ここで、ＴｒａｆｆｉｃＴｏＡｃｃｅｓｓＲａｔｉｏはトラフィック対アクセス電力比のパラメータであり、予め指定されてもよく、システムにより送信されてもよい。
【００５３】
本発明の好ましい実施形態として、新たに確立されるバックワードキャリアのパイロット初期送信電力、すなわちキャリアのバックワードチャネルの初期送信電力を決定する必要がある場合、図３に示すように、具体的に下記のステップを含むことができる。
【００５４】
ステップ３１で、当該新たに確立されるバックワードキャリアと同一周波数帯の範囲内のバックワードキャリアが存在するか否かを判断し、存在する場合、ステップ３２を実行し、それでない場合、ステップ３３を実行する。
【００５５】
ステップ３２で、前記同一周波数帯範囲内のバックワードキャリアのパイロット送信電力に基づいて、当該新たに確立されるバックワードキャリアのパイロット初期送信電力を決定する。
【００５６】
ステップ３３で、他の周波数帯内のフォーワードおよびバックワードキャリアの電力参照値に基づいて、当該新たに確立されるバックワードキャリアのパイロット初期送信電力を算出し決定する。
【００５７】
上記のように、本発明の実施形態においては、現在既に存在するバックワードキャリアのパイロット送信電力、及び既に存在するフォーワードキャリアのパイロット受信電力に基づいて、新たに確立されるバックワードキャリアのパイロット初期送信電力を算出することができ、これにより、電力をなるべく迅速に収束し、システムの干渉を低減し、且つ安定速度を高める。
【００５８】
本発明の実施形態においては、さらにキャリアのバックワードチャネルの初期送信電力を決定する装置を提供し、当該装置の具体的な実現の構成は図４に示すように、参照バックワードキャリア決定手段と第１初期送信電力決定手段とを含む。ここで、
【００５９】
（１）参照バックワードキャリア決定手段
当該手段は、マルチキャリアシステムにおいて既に存在する参照バックワードキャリアを決定し、前記参照バックワードキャリア決定手段によって決定された既に存在する参照バックワードキャリアは、システムがシグナリングを介して端末に指定した一部又は全部の既に存在するバックワードキャリアを含む。
【００６０】
（２）第１初期送信電力決定手段
当該手段は、前記決定された既に存在する参照バックワードキャリアのパイロット送信電力に基づいて、当該新たに確立されるバックワードキャリアのパイロット初期送信電力を決定し、前記第１初期送信電力決定手段は、具体的に、各種の異なる方式を採用して新たに確立されるバックワードキャリアのパイロット初期送信電力を決定することができる。例えば、当該手段は具体的に以下の手段を含むことができる。  
【００６１】
システムにより端末に指定された参照バックワードキャリア、又は新たに確立されるバックワードキャリアと周波数間隔が最も近い参照バックワードキャリアを決定し、且つ当該参照バックワードキャリアのパイロット送信電力に基づいて、当該新たに確立されるバックワードキャリアのパイロット初期送信電力を決定する、決定されたバックワードキャリアに基づく送信電力決定手段、又は、
全ての参照バックワードキャリアのパイロット送信電力中の最小値に基づいて、当該新たに確立されるバックワードキャリアのパイロット初期送信電力を決定する、最小値に基づく送信電力決定手段、又は、
全ての参照バックワードキャリアのパイロット送信電力中の最大値に基づいて、当該新たに確立されるバックワードキャリアのパイロット初期送信電力を決定する、最大値に基づく送信電力決定手段、又は、
全ての参照バックワードキャリアのパイロット送信電力の加重平均値に基づいて、当該新たに確立されるバックワードキャリアのパイロット初期送信電力を決定する、加重平均値に基づく送信電力決定手段。
【００６２】
前記第１初期送信電力決定手段が、新たに確立されるバックワードキャリアのパイロット初期送信電力を決定する具体的な実現方式は上記の記述を参照することができ、ここでは詳しく説明しない。
【００６３】
やはり図４に示すように、本発明の実施形態において、前記キャリアのバックワードチャネルの初期送信電力を決定する装置は、さらに、以下の処理手段を含むことができる。
【００６４】
（１）判断処理手段
当該手段は、マルチキャリアシステムに参照バックワードキャリアが存在するか否かを判断し、存在する場合、参照バックワードキャリア決定手段と第１初期送信電力決定手段とを触発し、それでない場合、参照フォーワードキャリア決定手段と第２初期送信電力決定手段とを触発する。
【００６５】
（２）参照フォーワードキャリア決定手段
当該手段は、マルチキャリアシステムにおいて既に存在する参照フォーワードキャリアを決定する。参照バックワードキャリアの決定と類似して、前記参照フォーワードキャリア決定手段によって決定された既に存在する参照フォーワードキャリアは、システムがシグナリングを介して端末に指定した一部又は全部の既に存在するフォーワードキャリア、または、参照バックワードキャリアに対応するフォーワードキャリア及び新たに確立されるバックワードキャリアに対応するフォーワードキャリアを含む。
【００６６】
（３）第２初期送信電力決定手段
当該手段は、前記既に存在する参照フォーワードキャリアのパイロット受信電力に基づいて、当該新たに確立されるバックワードキャリアのパイロット初期送信電力を決定する。
【００６７】
上記は本発明の好ましい具体的な実施形態のみであり、本発明の保護範囲はそれに制限せず、該技術に詳しいいかなる人が本発明に掲げる技術範囲内で簡単に思い出される変更又は置き換えは、全部本発明の保護範囲内に含まれるべきである。そのため、本発明の保護範囲は、特許請求の範囲の保護範囲に準ずるべきである。
【図面の簡単な説明】
【００６８】
【図１】本発明の実施形態において、新たに確立されたバックワードキャリアの同一周波数帯内に、既に存在するバックワードキャリアがある場合を示す図である。
【図２】本発明の実施形態において、新たに確立されたバックワードキャリアの同一周波数帯内に既に存在するバックワードキャリアがない場合を示す図である。
【図３】本発明の実施形態に係る方法の流れ図である。
【図４】本発明の実施形態に係る装置の構成図である。
【図１】
2009505533.tif 000007
【図２】
2009505533.tif 000008
【図３】
2009505533.tif 000009
【図４】
2009505533.tif 000010
【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
キャリアのバックワードチャネルの初期送信電力を決定する方法であって、
参照バックワードキャリアが既に存在するマルチキャリアシステムにおいて、バックワードキャリアを新たに確立する必要がある場合、既に存在する参照バックワードキャリアの電力基準チャネル送信電力に基づいて、当該新たに確立されるバックワードキャリアのバックワードチャネルの初期送信電力を決定することを含む、ことを特徴とするキャリアのバックワードチャネルの初期送信電力を決定する方法。
【請求項２】
前記既に存在する参照バックワードキャリアの電力基準チャネル送信電力に基づいて、当該新たに確立されるバックワードキャリアのバックワードチャネルの初期送信電力を決定することは、
システムにより端末に指定された参照バックワードキャリアを採用し、又は新たに確立されるバックワードキャリアと周波数間隔が最も近いバックワードキャリアを参照バックワードキャリアとして採用し、且つ当該参照バックワードキャリアの電力基準チャネル送信電力に基づいて、当該新たに確立されるバックワードキャリアのバックワードチャネルの初期送信電力を決定し、又は、
全ての参照バックワードキャリアの電力基準チャネル送信電力中の最小値に基づいて当該新たに確立されるバックワードキャリアのバックワードチャネルの初期送信電力を決定し、又は、
全ての参照バックワードキャリアの電力基準チャネル送信電力中の最大値に基づいて、当該新たに確立されるバックワードキャリアのバックワードチャネルの初期送信電力を決定し、又は、
全ての参照バックワードキャリアの電力基準チャネル送信電力の加重平均値に基づいて、当該新たに確立されるバックワードキャリアのバックワードチャネルの初期送信電力を決定する、
ことを含むことを特徴とする請求項１に記載のキャリアのバックワードチャネルの初期送信電力を決定する方法。
【請求項３】
加重平均値を求める場合、各参照バックワードキャリアの電力基準チャネル送信電力の加重係数は、システムにより送信され又は予め指定される、ことを特徴とする請求項２に記載のキャリアのバックワードチャネルの初期送信電力を決定する方法。
【請求項４】
前記当該新たに確立されるバックワードキャリアのバックワードチャネルの初期送信電力を決定する処理は、
参照フォーワードキャリアＦＬｉを決定し、前記参照フォーワードキャリアのアクセスパラメータ、即ち、オープンループ電力調整ＯｐｅｎＬｏｏｐＡｄｊｕｓｔ＿ＦＬｉと、アクセスプローブ初期調整ＰｒｏｂｅＩｎｉｔｉａｌＡｄｊｕｓｔ＿ＦＬｉと、参照フォーワードキャリアの電力基準チャネル受信電力Ｐｉｌｏｔ＿Ｐｏｗｅｒ＿ＦＬｉとを決定し、
新たに確立されるバックワードキャリアの電力基準チャネル初期送信電力ＩｎｉｔｉａｌＰｉｌｏｔＰｏｗｅｒ＿ＲＬｉは、ＩｎｉｔｉａｌＰｉｌｏｔＰｏｗｅｒ＿ＲＬｉ＝−Ｐｉｌｏｔ＿Ｐｏｗｅｒ＿ＦＬｉ＋ＯｐｅｎＬｏｏｐＡｄｊｕｓｔ＿ＦＬｉ＋ＰｒｏｂｅＩｎｉｔｉａｌＡｄｊｕｓｔ＿ＦＬｉ＋ＴｒａｆｆｉｃＴｏＡｃｃｅｓｓＲａｔｉｏであり、前記ＴｒａｆｆｉｃＴｏＡｃｃｅｓｓＲａｔｉｏは、トラフィック対アクセス電力比の値であり、予め指定され又はシステムにより送信され、ｉは整数である、
ことをさらに含むことを特徴とする請求項１〜３のいずれかに記載のキャリアのバックワードチャネルの初期送信電力を決定する方法。
【請求項５】
前記当該新たに確立されるバックワードキャリアのバックワードチャネルの初期送信電力を決定する処理は、
既に存在する参照フォーワードキャリアＦＬｊのアクセスパラメータ、即ち、オープンループ電力調整ＯｐｅｎＬｏｏｐＡｄｊｕｓｔ＿ＦＬｊと、アクセスプローブ初期調整ＰｒｏｂｅＩｎｉｔｉａｌＡｄｊｕｓｔ＿ＦＬｊと、参照フォーワードキャリアの電力基準チャネル受信電力Ｐｉｌｏｔ＿Ｐｏｗｅｒ＿ＦＬｊと、前記参照フォーワードキャリアに対応する参照バックワードキャリアＲＬｊの電力基準チャネル送信電力ＰｉｌｏｔＰｏｗｅｒ＿ＲＬｊとを決定し、且つ当該参照フォーワードバックワードキャリア対ＦＬｊ／ＲＬｊに対応する電力参照値Ｒｅｆｅｒｅｎｃｅ＿ｊ＝ＰｉｌｏｔＰｏｗｅｒ＿ＲＬｊ＋Ｐｉｌｏｔ＿Ｐｏｗｅｒ＿ＦＬｊ−ＯｐｅｎＬｏｏｐＡｄｊｕｓｔ＿ＦＬｊ−ＰｒｏｂｅＩｎｉｔｉａｌＡｄｊｕｓｔ＿ＦＬｊを算出し、又は、システムがシグナリングを介して調整パラメータＡｄｊｕｓｔＰａｒａｍｅｔｅｒを送信して、Ｒｅｆｅｒｅｎｃｅ＿ｊ＝ＰｉｌｏｔＰｏｗｅｒ＿ＲＬｊ＋Ｐｉｌｏｔ＿Ｐｏｗｅｒ＿ＦＬｊ−ＡｄｊｕｓｔＰａｒａｍｅｔｅｒを算出し、前記ＡｄｊｕｓｔＰａｒａｍｅｔｅｒは、参照フォーワードキャリアの電力基準チャネル送信電力と、新たに確立されるバックワードキャリアに対応するフォーワードキャリアの電力基準チャネル送信電力と、参照バックワードキャリアの平均受信電力と、新たに確立されるバックワードキャリアの平均受信電力とに基づいて決定され、ｊは整数であり、
既に存在するすべてのフォーワードバックワードキャリア対に対応する電力参照値に基づいて、前記新たに確立されるバックワードキャリアの電力基準チャネル初期送信電力Ｉｎｉｔｉａｌ  Ｐｉｌｏｔ  Ｐｏｗｅｒ＿ＲＬを決定することをさらに含む、ことを特徴とする請求項１〜４のいずれかに記載のキャリアのバックワードチャネルの初期送信電力を決定する方法。
【請求項６】
前記既に存在するすべてのフォーワードバックワードキャリア対に対応する電力参照値に基づいて、前記新たに確立されるバックワードキャリアのバックワードチャネルの初期送信電力を決定する処理は、
新たに確立されるバックワードキャリアと周波数間隔が最も近い既に存在するフォーワードバックワードキャリア対に対応する電力参照値Ｒｅｆｅｒｅｎｃｅ＿ｎに基づいて、新たに確立されるバックワードキャリアの電力基準チャネル初期送信電力ＩｎｉｔｉａｌＰｉｌｏｔＰｏｗｅｒ＿ＲＬ（ｍ＋１）を決定し、即ち、
ＩｎｉｔｉａｌＰｉｌｏｔＰｏｗｅｒ＿ＲＬ（ｍ＋１）＝Ｒｅｆｅｒｅｎｃｅ＿ｎ−（Ｐｉｌｏｔ＿Ｐｏｗｅｒ＿ＦＬ（ｍ＋１）−ＯｐｅｎＬｏｏｐＡｄｊｕｓｔ＿ＦＬ（ｍ＋１）−ＰｒｏｂｅＩｎｉｔｉａｌＡｄｊｕｓｔ＿ＦＬ（ｍ＋１））、又は、ＩｎｉｔｉａｌＰｉｌｏｔＰｏｗｅｒ＿ＲＬ（ｍ＋１）＝Ｒｅｆｅｒｅｎｃｅ＿ｎ−Ｐｉｌｏｔ＿Ｐｏｗｅｒ＿ＦＬ（ｍ＋１）であり、
又は、既に存在するすべてのフォーワードバックワードキャリアに対応する電力参照値の加重平均値に基づいて、新たに確立されるバックワードキャリアの電力基準チャネル初期送信電力ＩｎｉｔｉａｌＰｉｌｏｔＰｏｗｅｒ＿ＲＬ（ｍ＋１）を決定し、即ち、
ＩｎｉｔｉａｌＰｉｌｏｔＰｏｗｅｒ＿ＲＬ（ｍ＋１）＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３＋…＋Ｋｍ＊Ｒｅｆｅｒｅｎｃｅ＿ｍ−（Ｐｉｌｏｔ＿Ｐｏｗｅｒ＿ＦＬ（ｍ＋１）−ＯｐｅｎＬｏｏｐＡｄｊｕｓｔ＿ＦＬ（ｍ＋１）−ＰｒｏｂｅＩｎｉｔｉａｌＡｄｊｕｓｔ＿ＦＬ（ｍ＋１））、又は、ＩｎｉｔｉａｌＰｉｌｏｔＰｏｗｅｒ＿ＲＬ（ｍ＋１）＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３＋…＋Ｋｍ＊Ｒｅｆｅｒｅｎｃｅ＿ｍ−Ｐｉｌｏｔ＿Ｐｏｗｅｒ＿ＦＬ（ｍ＋１）であり、
ここで、Ｋ１、Ｋ２、Ｋ３、…Ｋｍは加重パラメータであり、予め指定され又はシステムにより送信され、ｍは自然数であり、ｎは整数である、ことを特徴とする請求項５に記載のキャリアのバックワードチャネルの初期送信電力を決定する方法。
【請求項７】
既に存在する参照フォーワードキャリアのパイロット受信電力に基づいて、当該新たに確立されるバックワードキャリアのバックワードチャネルの初期送信電力を決定することをさらに含む、ことを特徴とする請求項１〜３のいずれかに記載のキャリアのバックワードチャネルの初期送信電力を決定する方法。
【請求項８】
前記新たに確立されるバックワードキャリアのバックワードチャネルの初期送信電力を決定する処理は、前記新たに確立されるバックワードキャリアと同一周波数帯の参照バックワードキャリアが存在する場合、前記同一周波数帯の参照バックワードキャリアの電力基準チャネル送信電力に基づいて、前記新たに確立されるバックワードキャリアのバックワードチャネルの初期送信電力を決定することを含む、ことを特徴とする請求項１〜７のいずれかに記載のキャリアのバックワードチャネルの初期送信電力を決定する方法。
【請求項９】
前記新たに確立されるバックワードキャリアのバックワードチャネルの初期送信電力を決定する処理は、前記新たに確立されるバックワードキャリアと同一周波数帯の参照バックワードキャリアが存在しないが、同一周波数帯の参照フォーワードキャリアが存在する場合、前記同一周波数帯の参照フォーワードキャリアの電力基準チャネル受信電力に基づいて、前記新たに確立されるバックワードキャリアのバックワードチャネルの初期送信電力を決定する、
ことを含む、ことを特徴とする請求項１〜７のいずれかに記載のキャリアのバックワードチャネルの初期送信電力を決定する方法。
【請求項１０】
前記新たに確立されるバックワードキャリアのバックワードチャネルの初期送信電力を決定する処理は、前記新たに確立されるバックワードキャリアと同一周波数帯の参照バックワードキャリアが存在しない場合、他の周波数帯に既に存在する参照フォーワードバックワードキャリア対のアクセスパラメータ情報に基づいて、前記新たに確立されるバックワードキャリアのバックワードチャネルの初期送信電力を決定することを含む、ことを特徴とする請求項１〜７のいずれかに記載のキャリアのバックワードチャネルの初期送信電力を決定する方法。
【請求項１１】
前記既に存在する参照バックワードキャリアは、システムがシグナリングを介して端末に指定した一部又は全部の既に存在するバックワードキャリアを含む、ことを特徴とする請求項１〜１０のいずれかに記載のキャリアのバックワードチャネルの初期送信電力を決定する方法。
【請求項１２】
前記既に存在する参照フォーワードキャリアは、システムがシグナリングを介して端末に指定した一部又は全部の既に存在するフォーワードキャリア、又は参照バックワードキャリアに対応するフォーワードキャリア及び新たに確立されるバックワードキャリアに対応するフォーワードキャリアを含む、ことを特徴とする請求項１〜１１のいずれかに記載のキャリアのバックワードチャネルの初期送信電力を決定する方法。
【請求項１３】
キャリアのバックワードチャネルの初期送信電力を決定する装置であって、
マルチキャリアシステムにおいて既に存在する参照バックワードキャリアを決定する、参照バックワードキャリア決定手段と、
前記決定された既に存在する参照バックワードキャリアの電力基準チャネル送信電力に基づいて、新たに確立されるバックワードキャリアのバックワードチャネルの初期送信電力を決定する、第１初期送信電力決定手段と、
を含むことを特徴とするキャリアのバックワードチャネルの初期送信電力を決定する装置。
【請求項１４】
マルチキャリアシステムに参照バックワードキャリアが存在するか否かを判断し、存在する場合、参照バックワードキャリア決定手段と第１初期送信電力決定手段とを触発し、それでない場合、参照フォーワードキャリア決定手段と第２初期送信電力決定手段とを触発する判断処理手段と、
既に存在する参照フォーワードキャリアを決定する参照フォーワードキャリア決定手段と、
前記既に存在する参照フォーワードキャリアの電力基準チャネル受信電力に基づいて、当該新たに確立されるバックワードキャリアのバックワードチャネルの初期送信電力を決定する第２初期送信電力決定手段と、
をさらに含むことを特徴とする請求項１３に記載のキャリアのバックワードチャネルの初期送信電力を決定する装置。
【請求項１５】
前記第１初期送信電力決定手段が、  
システムにより端末に指定された参照バックワードキャリア又は新たに確立されるバックワードキャリアと周波数間隔が最も近い参照バックワードキャリアを決定し、且つ当該参照バックワードキャリアの電力基準チャネル送信電力に基づいて、前記新たに確立されるバックワードキャリアのバックワードチャネルの初期送信電力を決定する、決定されたバックワードキャリアに基づく送信電力決定手段、又は、
全ての参照バックワードキャリアの電力基準チャネル送信電力中の最小値に基づいて、前記新たに確立されるバックワードキャリアのバックワードチャネルの初期送信電力を決定する、最小値に基づく送信電力決定手段、又は、
全ての参照バックワードキャリアの電力基準チャネル送信電力中の最大値に基づいて、前記新たに確立されるバックワードキャリアのバックワードチャネルの初期送信電力を決定する、最大値に基づく送信電力決定手段、又は、
全ての参照バックワードキャリアの電力基準チャネル送信電力の加重平均値に基づいて、前記新たに確立されるバックワードキャリアのバックワードチャネルの初期送信電力を決定する、加重平均値に基づく送信電力決定手段、
を含むことを特徴とする請求項１３又は１４に記載のキャリアのバックワードチャネルの初期送信電力を決定する装置。
【請求項１６】
前記参照バックワードキャリア決定手段によって決定された既に存在する参照バックワードキャリアが、システムによりシグナリングを介して端末に指定された一部又は全部の既に存在するバックワードキャリアを含む、ことを特徴とする請求項１３〜１５のいずれかに記載のキャリアのバックワードチャネルの初期送信電力を決定する装置。
【請求項１７】
前記参照フォーワードキャリア決定手段によって決定された既に存在する参照フォーワードキャリアが、システムによりシグナリングを介して端末に指定された一部又は全部の既に存在するフォーワードキャリア、又は参照バックワードキャリアに対応するフォーワードキャリア及び新たに確立されるバックワードキャリアに対応するフォーワードキャリアを含む、ことを特徴とする請求項１４に記載のキャリアのバックワードチャネルの初期送信電力を決定する装置。
【手続補正２】
【補正対象書類名】明細書
【補正対象項目名】全文
【補正方法】変更
【補正の内容】
【発明の詳細な説明】
【技術分野】
【０００１】
本発明は、無線通信技術分野に関し、特に無線通信システムにおいて新たに増加されるキャリアのバックワードチャネル（ｂａｃｋｗａｒｄ  ｃｈａｎｎｅｌ）の初期送信電力（ｉｎｉｔｉａｌ  ｔｒａｎｓｍｉｔ  ｐｏｗｅｒ）を決定する方法および装置に関する。
【背景技術】
【０００２】
無線移動通信システムにおいて、端末は、一般にバックワードアクセスチャネルを介して初期シグナリング又はショットメッセージの送信を完了する。その前に端末とシステムとの間で両方向の接続が確立されていないため、端末はオープンループ電力制御のみに基づいてアクセスチャネルの電力設定を完了し、バックワードアクセスチャネルの送信電力を決定しなければならない。
【０００３】
前記オープンループ電力値は、フォーワードリンクのパスロス及びバックワード負荷によって決められる。バックワード負荷が大きければ、アクセス成功率を確保し且つアクセス時間遅延を短縮するように、比較的大きい電力でアクセスすべきである。逆に、バックワード負荷が小さければ、比較的小さい電力でアクセスしても、過度の干渉を起こさないようになる。
【０００４】
システムにおいて、現在のバックワード負荷状況に対しては、一般に、システムによりシステムメッセージを介してブロードキャストする。このようにして、端末は当該負荷状況によってオープンループ電力制御を通じてアクセス電力を決定することができる。しかし、一般に、システムメッセージのブロードキャストの間隔が比較的長いため、ブロードキャストメッセージによってはバックワード負荷の迅速変化を正確且つ直ちに反映することができない。そこで、バックワード負荷状況によって決定されるアクセスチャネルのオープンループ電力を正確に取得することができず、さらに、合理的なバックワードアクセスチャネルの送信電力を決定することができない。
【０００５】
以下、ＣＤＭＡ２０００  １ｘ  ＥＶ−ＤＯシステムを例として、無線通信システムにおけるバックワードアクセスチャネルの送信電力の調整方法について説明する。
【０００６】
プロトコルの規定によれば、ＣＤＭＡ２０００  １ｘ  ＥＶ−ＤＯシステム（ＣＤＭＡ２０００  １Ｘに対してデータトラフィックで強化したシステム）におけるバックワードアクセスチャネルの第ｉ個のアクセスプローブ（ｐｒｏｂｅ）の送信電力Ｙは下記の式により生じる。
【０００７】
【数１】
2009505533.tif 000011
ここで、
【０００８】
【数２】
2009505533.tif 000012
である。
【０００９】
上記２つの公式に関するＰｏｗｅｒＳｔｅｐ（パワーステップ）、ＯｐｅｎＬｏｏｐＡｄｊｕｓｔ（オープンループ調整）及びＰｒｏｂｅＩｎｉｔｉａｌＡｄｊｕｓｔ（アクセスプローブ初期調整）パラメータは全てフォーワードアクセスパラメータメッセージ（ＡｃｃｅｓｓＰａｒａｍｅｔｅｒｓ  ｍｅｓｓａｇｅ）中のフィールドである。各パラメータの具体的数値は、アクセスネットワーク（ＡＮ）により決定され、ＡｃｃｅｓｓＰａｒａｍｅｔｅｒｓ  ｍｅｓｓａｇｅによってアクセス端末に送信される。このようにして、アクセス端末はＡｃｃｅｓｓＰａｒａｍｅｔｅｒｓ  ｍｅｓｓａｇｅの中から相応のパラメータメッセージを獲得し、さらにアクセスプローブの送信電力Ｙを算出することができる。
【００１０】
システムにおいて、ＡＮのＡｃｃｅｓｓＰａｒａｍｅｔｅｒｓ  ｍｅｓｓａｇｅを送信する間隔は
【００１１】
【数３】
2009505533.tif 000013
個タイムスロットを越えてはいけない。一般に、
【００１２】
【数４】
2009505533.tif 000014
のデフォルト値は７６８である。
【発明の開示】
【発明が解決しようとする課題】
【００１３】
上記からわかるように、上記無線通信システムにおいて、バックワードアクセスチャネルの送信電力の算出方法のみが定義されており、バックワードキャリアのバックワードトラフィックチャネルが既に存在する場合の新たに増加されるキャリアの送信電力の算出方法については具体的な実現方案が提出されていない。
【００１４】
本発明は、電力をなるべく迅速に収束し、システムの干渉を低減し、且つ無線通信の安定速度を高める、キャリアのバックワードチャネルの初期送信電力を決定する方法および装置を提供することを目的とする。
【課題を解決するための手段】
【００１５】
本発明の目的は下記の解決手段によって実現される。
【００１６】
キャリアのバックワードチャネルの初期送信電力を決定する方法であって、参照バックワードキャリアが既に存在するマルチキャリアシステムにおいて、バックワードキャリアを新たに確立する必要がある場合、既に存在する参照バックワードキャリアの電力基準チャネル送信電力に基づいて、当該新たに確立されるバックワードキャリアのバックワードチャネルの初期送信電力を決定することを含む。
【００１７】
前記既に存在する参照バックワードキャリアの電力基準チャネル送信電力に基づいて、当該新たに確立されるバックワードキャリアのバックワードチャネルの初期送信電力を決定することは、システムにより端末に指定された参照バックワードキャリアを採用し、又は新たに確立されるバックワードキャリアと周波数間隔が最も近いバックワードキャリアを参照バックワードキャリアとして採用し、且つ当該参照バックワードキャリアの電力基準チャネル送信電力に基づいて、当該新たに確立されるバックワードキャリアのバックワードチャネルの初期送信電力を決定し、又は、全ての参照バックワードキャリアの電力基準チャネル送信電力中の最小値に基づいて当該新たに確立されるバックワードキャリアのバックワードチャネルの初期送信電力を決定し、又は、全ての参照バックワードキャリアの電力基準チャネル送信電力中の最大値に基づいて、当該新たに確立されるバックワードキャリアのバックワードチャネルの初期送信電力を決定し、又は、全ての参照バックワードキャリアの電力基準チャネル送信電力の加重平均値に基づいて、当該新たに確立されるバックワードキャリアのバックワードチャネルの初期送信電力を決定する、ことを含む。
【００１８】
加重平均値を求める場合、各参照バックワードキャリアの電力基準チャネル送信電力の加重係数は、システムにより送信され又は予め指定される。
【００１９】
前記当該新たに確立されるバックワードキャリアのバックワードチャネルの初期送信電力を決定する処理は、参照フォーワードキャリアＦＬｉを決定し、前記参照フォーワードキャリアのアクセスパラメータ、即ち、オープンループ電力調整ＯｐｅｎＬｏｏｐＡｄｊｕｓｔ＿ＦＬｉと、アクセスプローブ初期調整ＰｒｏｂｅＩｎｉｔｉａｌＡｄｊｕｓｔ＿ＦＬｉと、参照フォーワードキャリアの電力基準チャネル受信電力Ｐｉｌｏｔ＿Ｐｏｗｅｒ＿ＦＬｉとを決定し、新たに確立されるバックワードキャリアの電力基準チャネル初期送信電力ＩｎｉｔｉａｌＰｉｌｏｔＰｏｗｅｒ＿ＲＬｉは、ＩｎｉｔｉａｌＰｉｌｏｔＰｏｗｅｒ＿ＲＬｉ＝−Ｐｉｌｏｔ＿Ｐｏｗｅｒ＿ＦＬｉ＋ＯｐｅｎＬｏｏｐＡｄｊｕｓｔ＿ＦＬｉ＋ＰｒｏｂｅＩｎｉｔｉａｌＡｄｊｕｓｔ＿ＦＬｉ＋ＴｒａｆｆｉｃＴｏＡｃｃｅｓｓＲａｔｉｏであり、前記ＴｒａｆｆｉｃＴｏＡｃｃｅｓｓＲａｔｉｏは、トラフィック対アクセス電力比の値であり、予め指定され又はシステムにより送信され、ｉは整数である、ことをさらに含む。
【００２０】
前記当該新たに確立されるバックワードキャリアのバックワードチャネルの初期送信電力を決定する処理は、既に存在する参照フォーワードキャリアＦＬｊのアクセスパラメータ、即ち、オープンループ電力調整ＯｐｅｎＬｏｏｐＡｄｊｕｓｔ＿ＦＬｊと、アクセスプローブ初期調整ＰｒｏｂｅＩｎｉｔｉａｌＡｄｊｕｓｔ＿ＦＬｊと、参照フォーワードキャリアの電力基準チャネル受信電力Ｐｉｌｏｔ＿Ｐｏｗｅｒ＿ＦＬｊと、前記参照フォーワードキャリアに対応する参照バックワードキャリアＲＬｊの電力基準チャネル送信電力ＰｉｌｏｔＰｏｗｅｒ＿ＲＬｊとを決定し、且つ当該参照フォーワードバックワードキャリア対ＦＬｊ／ＲＬｊに対応する電力参照値Ｒｅｆｅｒｅｎｃｅ＿ｊ＝ＰｉｌｏｔＰｏｗｅｒ＿ＲＬｊ＋Ｐｉｌｏｔ＿Ｐｏｗｅｒ＿ＦＬｊ−ＯｐｅｎＬｏｏｐＡｄｊｕｓｔ＿ＦＬｊ−ＰｒｏｂｅＩｎｉｔｉａｌＡｄｊｕｓｔ＿ＦＬｊを算出し、又は、システムがシグナリングを介して調整パラメータＡｄｊｕｓｔＰａｒａｍｅｔｅｒを送信して、Ｒｅｆｅｒｅｎｃｅ＿ｊ＝ＰｉｌｏｔＰｏｗｅｒ＿ＲＬｊ＋Ｐｉｌｏｔ＿Ｐｏｗｅｒ＿ＦＬｊ−ＡｄｊｕｓｔＰａｒａｍｅｔｅｒを算出し、前記ＡｄｊｕｓｔＰａｒａｍｅｔｅｒは、参照フォーワードキャリアの電力基準チャネル送信電力と、新たに確立されるバックワードキャリアに対応するフォーワードキャリアの電力基準チャネル送信電力と、参照バックワードキャリアの平均受信電力と、新たに確立されるバックワードキャリアの平均受信電力とに基づいて決定され、ｊは整数であり、既に存在するすべてのフォーワードバックワードキャリア対に対応する電力参照値に基づいて、前記新たに確立されるバックワードキャリアの電力基準チャネル初期送信電力Ｉｎｉｔｉａｌ  Ｐｉｌｏｔ  Ｐｏｗｅｒ＿ＲＬを決定することをさらに含む。
【００２１】
前記既に存在するすべてのフォーワードバックワードキャリア対に対応する電力参照値に基づいて、前記新たに確立されるバックワードキャリアのバックワードチャネルの初期送信電力を決定する処理は、新たに確立されるバックワードキャリアと周波数間隔が最も近い既に存在するフォーワードバックワードキャリア対に対応する電力参照値Ｒｅｆｅｒｅｎｃｅ＿ｎに基づいて、新たに確立されるバックワードキャリアの電力基準チャネル初期送信電力ＩｎｉｔｉａｌＰｉｌｏｔＰｏｗｅｒ＿ＲＬ（ｍ＋１）を決定し、即ち、ＩｎｉｔｉａｌＰｉｌｏｔＰｏｗｅｒ＿ＲＬ（ｍ＋１）＝Ｒｅｆｅｒｅｎｃｅ＿ｎ−（Ｐｉｌｏｔ＿Ｐｏｗｅｒ＿ＦＬ（ｍ＋１）−ＯｐｅｎＬｏｏｐＡｄｊｕｓｔ＿ＦＬ（ｍ＋１）−ＰｒｏｂｅＩｎｉｔｉａｌＡｄｊｕｓｔ＿ＦＬ（ｍ＋１））、又は、ＩｎｉｔｉａｌＰｉｌｏｔＰｏｗｅｒ＿ＲＬ（ｍ＋１）＝Ｒｅｆｅｒｅｎｃｅ＿ｎ−Ｐｉｌｏｔ＿Ｐｏｗｅｒ＿ＦＬ（ｍ＋１）であり、又は、既に存在するすべてのフォーワードバックワードキャリアに対応する電力参照値の加重平均値に基づいて、新たに確立されるバックワードキャリアの電力基準チャネル初期送信電力ＩｎｉｔｉａｌＰｉｌｏｔＰｏｗｅｒ＿ＲＬ（ｍ＋１）を決定し、即ち、ＩｎｉｔｉａｌＰｉｌｏｔＰｏｗｅｒ＿ＲＬ（ｍ＋１）＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３＋…＋Ｋｍ＊Ｒｅｆｅｒｅｎｃｅ＿ｍ−（Ｐｉｌｏｔ＿Ｐｏｗｅｒ＿ＦＬ（ｍ＋１）−ＯｐｅｎＬｏｏｐＡｄｊｕｓｔ＿ＦＬ（ｍ＋１）−ＰｒｏｂｅＩｎｉｔｉａｌＡｄｊｕｓｔ＿ＦＬ（ｍ＋１））、又は、ＩｎｉｔｉａｌＰｉｌｏｔＰｏｗｅｒ＿ＲＬ（ｍ＋１）＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３＋…＋Ｋｍ＊Ｒｅｆｅｒｅｎｃｅ＿ｍ−Ｐｉｌｏｔ＿Ｐｏｗｅｒ＿ＦＬ（ｍ＋１）であり、ここで、Ｋ１、Ｋ２、Ｋ３、…Ｋｍは加重パラメータであり、予め指定され又はシステムにより送信され、ｍは自然数であり、ｎは整数である。
【００２２】
既に存在する参照フォーワードキャリアのパイロット受信電力に基づいて、当該新たに確立されるバックワードキャリアのバックワードチャネルの初期送信電力を決定することをさらに含む。
【００２３】
前記新たに確立されるバックワードキャリアのバックワードチャネルの初期送信電力を決定する処理は、前記新たに確立されるバックワードキャリアと同一周波数帯の参照バックワードキャリアが存在する場合、前記同一周波数帯の参照バックワードキャリアの電力基準チャネル送信電力に基づいて、前記新たに確立されるバックワードキャリアのバックワードチャネルの初期送信電力を決定することを含む。
【００２４】
前記新たに確立されるバックワードキャリアのバックワードチャネルの初期送信電力を決定する処理は、前記新たに確立されるバックワードキャリアと同一周波数帯の参照バックワードキャリアが存在しないが、同一周波数帯の参照フォーワードキャリアが存在する場合、前記同一周波数帯の参照フォーワードキャリアの電力基準チャネル受信電力に基づいて、前記新たに確立されるバックワードキャリアのバックワードチャネルの初期送信電力を決定する、ことをさらに含む。
【００２５】
前記新たに確立されるバックワードキャリアのバックワードチャネルの初期送信電力を決定する処理は、前記新たに確立されるバックワードキャリアと同一周波数帯の参照バックワードキャリアが存在しない場合、他の周波数帯に既に存在する参照フォーワードバックワードキャリア対のアクセスパラメータ情報に基づいて、前記新たに確立されるバックワードキャリアのバックワードチャネルの初期送信電力を決定することを含む。
【００２６】
前記既に存在する参照バックワードキャリアは、システムがシグナリングを介して端末に指定した一部又は全部の既に存在するバックワードキャリアを含む。
【００２７】
前記既に存在する参照フォーワードキャリアは、システムがシグナリングを介して端末に指定した一部又は全部の既に存在するフォーワードキャリア、又は参照バックワードキャリアに対応するフォーワードキャリア及び新たに確立されるバックワードキャリアに対応するフォーワードキャリアを含む。
【００２８】
キャリアのバックワードチャネルの初期送信電力を決定する装置であって、マルチキャリアシステムにおいて既に存在する参照バックワードキャリアを決定する、参照バックワードキャリア決定手段と、前記決定された既に存在する参照バックワードキャリアの電力基準チャネル送信電力に基づいて、新たに確立されるバックワードキャリアのバックワードチャネルの初期送信電力を決定する、第１初期送信電力決定手段と、を含む。
【００２９】
マルチキャリアシステムに参照バックワードキャリアが存在するか否かを判断し、存在する場合、参照バックワードキャリア決定手段と第１初期送信電力決定手段とを触発し、それでない場合、参照フォーワードキャリア決定手段と第２初期送信電力決定手段とを触発する判断処理手段と、既に存在する参照フォーワードキャリアを決定する参照フォーワードキャリア決定手段と、前記既に存在する参照フォーワードキャリアの電力基準チャネル受信電力に基づいて、当該新たに確立されるバックワードキャリアのバックワードチャネルの初期送信電力を決定する第２初期送信電力決定手段と、をさらに含む。
【００３０】
前記第１初期送信電力決定手段が、システムにより端末に指定された参照バックワードキャリア又は新たに確立されるバックワードキャリアと周波数間隔が最も近い参照バックワードキャリアを決定し、且つ当該参照バックワードキャリアの電力基準チャネル送信電力に基づいて、前記新たに確立されるバックワードキャリアのバックワードチャネルの初期送信電力を決定する、決定されたバックワードキャリアに基づく送信電力決定手段、又は、全ての参照バックワードキャリアの電力基準チャネル送信電力中の最小値に基づいて、前記新たに確立されるバックワードキャリアのバックワードチャネルの初期送信電力を決定する、最小値に基づく送信電力決定手段、又は、全ての参照バックワードキャリアの電力基準チャネル送信電力中の最大値に基づいて、前記新たに確立されるバックワードキャリアのバックワードチャネルの初期送信電力を決定する、最大値に基づく送信電力決定手段、又は、全ての参照バックワードキャリアの電力基準チャネル送信電力の加重平均値に基づいて、前記新たに確立されるバックワードキャリアのバックワードチャネルの初期送信電力を決定する、加重平均値に基づく送信電力決定手段、を含む。
【００３１】
前記参照バックワードキャリア決定手段によって決定された既に存在する参照バックワードキャリアが、システムによりシグナリングを介して端末に指定された一部又は全部の既に存在するバックワードキャリアを含む。
【００３２】
前記参照フォーワードキャリア決定手段によって決定された既に存在する参照フォーワードキャリアが、システムによりシグナリングを介して端末に指定された一部又は全部の既に存在するフォーワードキャリア、又は参照バックワードキャリアに対応するフォーワードキャリア及び新たに確立されるバックワードキャリアに対応するフォーワードキャリアを含む。
【発明の効果】
【００３３】
上記本発明により提供される解決手段からわかるように、本発明においては、現在既に存在するバックワードキャリアのパイロット送信電力に基づいて、新たに確立されるバックワードキャリアのパイロット初期電力を算出することができ、これにより、電力をなるべく迅速に収束し、システムの干渉を低減し、且つ無線通信の安定速度を高めている。
【発明を実施するための最良の形態】
【００３４】
本発明は、マルチキャストシステムにおいて、新たに増加されるバックワードキャリアのパイロット初期送信電力を、既に存在するフォーワードバックワードキャリア情報によって設定することを核心とする。
【００３５】
以下、本発明に係る方法のさらなる理解のため、図面を参照して本発明に係る方法について詳しく説明する。
【００３６】
マルチキャリアシステムにおいて、バックワードキャリアが既に存在し、さらに、バックワードキャリアを新たに確立する必要がある場合、図１に示すように当該新たに確立されるバックワードキャリアの同一周波数帯範囲内に既成のバックワードキャリアが既に存在すれば、ある予定の準則を採用して、既に存在するバックワードキャリアのパイロット送信電力およびフォーワードキャリアのパイロット受信電力に基づいて、新たに確立されるバックワードキャリアのパイロット初期送信電力を決定することができる。好ましくは、当該新たに確立されるバックワードキャリアの同一周波数帯範囲内に既成のバックワードキャリアが既に存在すれば、既に存在するバックワードキャリアのパイロット送信電力のみに基づいて、新たに確立されるバックワードキャリアのパイロット初期送信電力を決定してよい。
【００３７】
そのうち、既に存在するバックワードキャリアのパイロット送信電力に基づいて、新たに確立されるバックワードキャリアのパイロット初期送信電力を決定する具体的方法は下記の４種を含み、以下、それぞれ説明する。
【００３８】
第１種の方法の具体的な実現において、新たに確立されるバックワードキャリアと周波数間隔が最も近いバックワードキャリア、又は他の特定の既に存在するバックワードキャリアをバックワード参照キャリアとして採用する。バックワード参照キャリアのパイロット送信電力を新たに確立されるバックワードキャリアのパイロット初期送信電力の基準とし、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、既に存在するバックワードキャリアＲＬ２のパイロット送信電力ＰｉｌｏｔＰｏｗｅｒ＿ＲＬ２と等しい。
【００３９】
第２種の方法の具体的な実現において、既に存在する全ての参照バックワードキャリアのパイロット送信電力の最小値を新たに確立されるバックワードキャリアのパイロット初期送信電力の基準とする。前記参照バックワードキャリアとして新たに確立されるバックワードキャリアと同一周波数帯内の参照バックワードキャリアを選択することができ、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、ｍｉｎ｛ＰｉｌｏｔＰｏｗｅｒ＿ＲＬ１，ＰｉｌｏｔＰｏｗｅｒ＿ＲＬ２｝と等しく、すなわち、既に存在するバックワードキャリアＲＬ１とＲＬ２とのパイロット送信電力中のより小さい値である。
【００４０】
第３種の方法の具体的な実現は、既に存在する全ての参照バックワードキャリアのパイロット送信電力の最大値を新たに確立されるバックワードキャリアのパイロット初期送信電力の基準とする。前記参照バックワードキャリアとして新たに確立されるバックワードキャリアと同一周波数帯内の参照バックワードキャリアを選択することができ、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、ｍａｘ｛ＰｉｌｏｔＰｏｗｅｒ＿ＲＬ１，ＰｉｌｏｔＰｏｗｅｒ＿ＲＬ２｝と等しく、すなわち、既に存在するバックワードキャリアＲＬ１とＲＬ２とのパイロット送信電力中のより大きい値である。
【００４１】
第４種の方法の具体的な実現は、既に存在する全ての参照バックワードキャリアのパイロット送信電力の加重平均値を新たに確立されるバックワードキャリアのパイロット初期送信電力の基準とする。前記参照バックワードキャリアとして新たに確立されるバックワードキャリアと同一周波数帯内の参照バックワードキャリアを選択することができ、例えば、図１において、新たに増加されたバックワードキャリアＲＬ３のパイロット初期送信電力ＩｎｉｔｉａｌＰｉｌｏｔＰｏｗｅｒ＿ＲＬ３の基準は、｛Ｋ１＊ＰｉｌｏｔＰｏｗｅｒ＿ＲＬ１＋Ｋ２＊ＰｉｌｏｔＰｏｗｅｒ＿ＲＬ２｝と等しく、ここで、Ｋ１、Ｋ２は、既に存在するバックワードキャリアＲＬ１とＲＬ２とのパイロット送信電力値に対応する加重パラメータであり、具体的数値は、システムにより送信されてもよく、予め指定されてもよい。
【００４２】
本発明の実施形態における前記方法は、具体的な実現プロセスにおいて、既に存在する参照フォーワードバックワードキャリア対のアクセスパラメータ情報又は他のパラメータ情報を考慮して、当該新たに確立されるバックワードキャリアのパイロット初期送信電力を決定することをさらに含む。具体的には、当該新たに確立されるバックワードキャリアの同一周波数帯範囲内に、既に存在するバックワードキャリアがない場合に、また下記の方式を採用して新たに確立されるバックワードキャリアの初期送信電力値を決定し、すなわち、他の周波数帯に存在するフォーワードバックワードキャリア対のアクセスパラメータ情報を考えて、相応のアクセスパラメータ情報によって、当該新たに確立されるバックワードキャリアのパイロット初期送信電力を決定してよい。以上において、当該新たに確立されるバックワードキャリアの同一周波数帯範囲内に、既に存在するバックワードキャリアがない場合のみに、他の周波数帯に存在するフォーワードバックワードキャリア対のアクセスパラメータ情報を考えることに限定しなかったことが明らかである。当該方法の具体的実現は以下を含むことができる。
【００４３】
図２に示すように、参照フォーワードバックワードキャリア対がＦ１／Ｒ１であり、参照フォーワードキャリアのアクセスパラメータがＯｐｅｎＬｏｏｐＡｄｊｕｓｔ＿ＦＬ１（オープンループ電力調整）とＰｒｏｂｅＩｎｉｔｉａｌＡｄｊｕｓｔ＿ＦＬ１（アクセスプローブ初期調整）であり、端末が受信する参照フォーワードキャリアのしたパイロット初期電力がＰｉｌｏｔ＿Ｐｏｗｅｒ＿ＦＬ１であるとすれば、参照バックワードキャリアのパイロット送信電力がＰｉｌｏｔＰｏｗｅｒ＿ＲＬ１である場合、当該参照フォーワードバックワードキャリア対ＦＬ１／ＲＬ１に対応する電力参照値Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−ＯｐｅｎＬｏｏｐＡｄｊｕｓｔ＿ＦＬ１−ＰｒｏｂｅＩｎｉｔｉａｌＡｄｊｕｓｔ＿ＦＬ１を算出する。又は、シグナリングを介して調整パラメータＡｄｊｕｓｔ  Ｐａｒａｍｅｔｅｒを送信し、このとき、Ｒｅｆｅｒｅｎｃｅ＿１＝ＰｉｌｏｔＰｏｗｅｒ＿ＲＬ１＋Ｐｉｌｏｔ＿Ｐｏｗｅｒ＿ＦＬ１−Ａｄｊｕｓｔ  Ｐａｒａｍｅｔｅｒである。ここで、ＡｄｊｕｓｔＰａｒａｍｅｔｅｒは、システムにより主に参照フォーワードキャリアのパイロット送信電力（Ａと設定）と、新たに確立されるバックワードキャリアに対応するフォーワードキャリアのパイロット送信電力（Ｂと設定）と、参照バックワードキャリアの平均受信電力（Ｃと設定）と、新たに確立されるバックワードキャリアの平均受信電力（Ｄと設定）とに基づいて決定され、例えば、ＡｄｊｕｓｔｍｅｎｔＰａｒａｍｅｔｅｒ＝Ａ−Ｂ＋Ｃ−Ｄであり、算出した当該値の上に、システムにより、例えばトラフィックのサービス品質（ＱｏＳ）需要に従って動的にいくらかの調整を行うなどの、他の調整をしてもよい。
【００４４】
そして、全ての既に存在するフォーワードバックワードキャリア対に対応する電力参照値の中で、最後所要の、新たに確立されるバックワードキャリアのパイロット初期送信電力ＩｎｉｔｉａｌＰｉｌｏｔＰｏｗｅｒ＿ＲＬを算出する。
【００４５】
前記算出方法は、具体的に、下記の２種を含む。
【００４６】
第１種の具体的な計算方法は以下のとおりである。
【００４７】
新たに確立されるバックワードキャリアと周波数間隔が最も近い既に存在するフォーワードバックワードキャリア対を参照フォーワードバックワードキャリア対とし、それに対応する電力参照値に基づいて、新たに確立されるバックワードキャリアのパイロット初期送信電力を算出し、例えば、図２において、新たに確立されるバックワードキャリアのパイロット初期送信電力ＩｎｉｔｉａｌＰｉｌｏｔＰｏｗｅｒ＿ＲＬ４は、
ＩｎｉｔｉａｌＰｉｌｏｔＰｏｗｅｒ＿ＲＬ４＝Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）であり、又は、ＩｎｉｔｉａｌＰｉｌｏｔＰｏｗｅｒ＿ＲＬ４＝Ｒｅｆｅｒｅｎｃｅ＿３−Ｐｉｌｏｔ＿Ｐｏｗｅｒ＿ＦＬ４である。
【００４８】
第２種の具体的な計算方法は以下のとおりである。
【００４９】
全ての参照フォーワードバックワードキャリア対に対応する電力参照値の加重平均に基づいて、新たに確立されるバックワードキャリアのパイロット初期送信電力を算出し、例えば、図２において、新たに確立されるバックワードキャリアのバックワードチャネルの初期送信電力ＩｎｉｔｉａｌＰｉｌｏｔＰｏｗｅｒ＿ＲＬ４は、
ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）、又は、ＩｎｉｔｉａｌＰｉｌｏｔＰｏｗｅｒ＿ＲＬ４＝Ｋ１＊Ｒｅｆｅｒｅｎｃｅ＿１＋  Ｋ２＊Ｒｅｆｅｒｅｎｃｅ＿２＋  Ｋ３＊Ｒｅｆｅｒｅｎｃｅ＿３−Ｐｉｌｏｔ＿Ｐｏｗｅｒ＿ＦＬ４である。ここで、Ｋ１、Ｋ２、Ｋ３は加重パラメータであり、予め指定され又はシステムにより送信されてもよい。
【００５０】
図２において、最も近い周波数帯の電力参照値の加重平均のみを選択すれば、Ｋ１＝０，Ｋ２＝Ｋ３＝１／２とすることができ、このとき、
ＩｎｉｔｉａｌＰｉｌｏｔＰｏｗｅｒ＿ＲＬ４＝（Ｒｅｆｅｒｅｎｃｅ＿２＋Ｒｅｆｅｒｅｎｃｅ＿３）／２−（Ｐｉｌｏｔ＿Ｐｏｗｅｒ＿ＦＬ４−ＯｐｅｎＬｏｏｐＡｄｊｕｓｔ＿ＦＬ４−ＰｒｏｂｅＩｎｉｔｉａｌＡｄｊｕｓｔ＿ＦＬ４）である。
【００５１】
本発明の実施形態において、新たに確立されるバックワードキャリアと同一周波数帯の範囲内に既に存在するバックワードキャリアがないが、同一周波数帯の範囲内にフォーワードキャリアが存在する場合、さらに下記の方法によって、新たに確立されるバックワードキャリアのパイロット初期送信電力を取得することができる。
【００５２】
具体的に、まず、上記同一周波数帯の範囲内のフォーワードキャリアのアクセスパラメータを決定し、例えば、図２においては、ＯｐｅｎＬｏｏｐＡｄｊｕｓｔ＿ＦＬ４とＰｒｏｂｅＩｎｉｔｉａｌＡｄｊｕｓｔ＿ＦＬ４とを決定し、端末が受信する上記同一周波数帯の範囲内のフォーワードキャリアのパイロット送信電力、即ち上記同一周波数帯の範囲内のフォーワードキャリアのパイロット受信電力を決定し、例えば、図２においてはＰｉｌｏｔ＿Ｐｏｗｅｒ＿ＦＬ４を決定する。
【００５３】
次に、当該新たに確立されるバックワードキャリアのパイロット初期送信電力を算出する。例えば、図２において、ＩｎｉｔｉａｌＰｉｌｏｔＰｏｗｅｒ＿ＲＬ４は、
ＩｎｉｔｉａｌＰｉｌｏｔＰｏｗｅｒ＿ＲＬ４＝−Ｐｉｌｏｔ＿Ｐｏｗｅｒ＿ＦＬ４＋ＯｐｅｎＬｏｏｐＡｄｊｕｓｔ＿ＦＬ４＋ＰｒｏｂｅＩｎｉｔｉａｌＡｄｊｕｓｔ＿ＦＬ４＋ＴｒａｆｆｉｃＴｏＡｃｃｅｓｓＲａｔｉｏである。
【００５４】
ここで、ＴｒａｆｆｉｃＴｏＡｃｃｅｓｓＲａｔｉｏはトラフィック対アクセス電力比のパラメータであり、予め指定されてもよく、システムにより送信されてもよい。
【００５５】
本発明の好ましい実施形態として、新たに確立されるバックワードキャリアのパイロット初期送信電力、すなわちキャリアのバックワードチャネルの初期送信電力を決定する必要がある場合、図３に示すように、具体的に下記のステップを含むことができる。
【００５６】
ステップ３１で、当該新たに確立されるバックワードキャリアと同一周波数帯の範囲内のバックワードキャリアが存在するか否かを判断し、存在する場合、ステップ３２を実行し、それでない場合、ステップ３３を実行する。
【００５７】
ステップ３２で、前記同一周波数帯範囲内のバックワードキャリアのパイロット送信電力に基づいて、または、前記同一周波数帯範囲内のバックワードキャリアのパイロット送信電力及びフォーワードキャリアのパイロット受信電力に基づいて、当該新たに確立されるバックワードキャリアのパイロット初期送信電力を決定する。
【００５８】
ステップ３３で、他の周波数帯内のフォーワードおよびバックワードキャリアの電力参照値に基づいて、当該新たに確立されるバックワードキャリアのパイロット初期送信電力を算出し決定する。
【００５９】
ステップ３３の実行後、ステップ３３の実行前に、さらに以下のステップを含むこともできる。
【００６０】
ステップ３２’で、当該新たに確立されるバックワードキャリアと同一周波数帯の範囲内のフォーワードキャリアが存在するか否かを判断し、存在する場合、ステップ３２”を実行し、それでない場合、ステップ３３を実行する。
【００６１】
ステップ３２”で、前記同一周波数帯の範囲内のフォーワードキャリアのパイロット受信電力に基づいて、新たに確立されるバックワードキャリアのパイロット初期送信電力を算出し決定する。
【００６２】
上記のように、本発明の実施形態においては、現在既に存在するバックワードキャリアのパイロット送信電力、及び既に存在するフォーワードキャリアのパイロット受信電力に基づいて、新たに確立されるバックワードキャリアのパイロット初期送信電力を算出することができ、これにより、電力をなるべく迅速に収束し、システムの干渉を低減し、且つ安定速度を高める。
【００６３】
本発明の実施形態においては、さらにキャリアのバックワードチャネルの初期送信電力を決定する装置を提供し、当該装置の具体的な実現の構成は図４に示すように、参照バックワードキャリア決定手段と第１初期送信電力決定手段とを含む。ここで、
【００６４】
（１）参照バックワードキャリア決定手段
当該手段は、マルチキャリアシステムにおいて既に存在する参照バックワードキャリアを決定し、前記参照バックワードキャリア決定手段によって決定された既に存在する参照バックワードキャリアは、システムがシグナリングを介して端末に指定した一部又は全部の既に存在するバックワードキャリアを含む。
【００６５】
（２）第１初期送信電力決定手段
当該手段は、前記決定された既に存在する参照バックワードキャリアのパイロット送信電力に基づいて、当該新たに確立されるバックワードキャリアのパイロット初期送信電力を決定し、前記第１初期送信電力決定手段は、具体的に、各種の異なる方式を採用して新たに確立されるバックワードキャリアのパイロット初期送信電力を決定することができる。例えば、当該手段は具体的に以下の手段を含むことができる。  
【００６６】
システムにより端末に指定された参照バックワードキャリア、又は新たに確立されるバックワードキャリアと周波数間隔が最も近い参照バックワードキャリアを決定し、且つ当該参照バックワードキャリアのパイロット送信電力に基づいて、当該新たに確立されるバックワードキャリアのパイロット初期送信電力を決定する、決定されたバックワードキャリアに基づく送信電力決定手段、
全ての参照バックワードキャリアのパイロット送信電力中の最小値に基づいて、当該新たに確立されるバックワードキャリアのパイロット初期送信電力を決定する、最小値に基づく送信電力決定手段、
全ての参照バックワードキャリアのパイロット送信電力中の最大値に基づいて、当該新たに確立されるバックワードキャリアのパイロット初期送信電力を決定する、最大値に基づく送信電力決定手段、又は、
全ての参照バックワードキャリアのパイロット送信電力の加重平均値に基づいて、当該新たに確立されるバックワードキャリアのパイロット初期送信電力を決定する、加重平均値に基づく送信電力決定手段。
【００６７】
前記第１初期送信電力決定手段が、新たに確立されるバックワードキャリアのパイロット初期送信電力を決定する具体的な実現方式は上記の記述を参照することができ、ここでは詳しく説明しない。
【００６８】
やはり図４に示すように、本発明の実施形態において、前記キャリアのバックワードチャネルの初期送信電力を決定する装置は、さらに、以下の処理手段を含むことができる。
【００６９】
（１）判断処理手段
当該手段は、マルチキャリアシステムに参照バックワードキャリアが存在するか否かを判断し、存在する場合、参照バックワードキャリア決定手段と第１初期送信電力決定手段とを触発し、それでない場合、参照フォーワードキャリア決定手段と第２初期送信電力決定手段とを触発する。
【００７０】
（２）参照フォーワードキャリア決定手段
当該手段は、マルチキャリアシステムにおいて既に存在する参照フォーワードキャリアを決定する。参照バックワードキャリアの決定と類似して、前記参照フォーワードキャリア決定手段によって決定された既に存在する参照フォーワードキャリアは、システムがシグナリングを介して端末に指定した一部又は全部の既に存在するフォーワードキャリア、または、参照バックワードキャリアに対応するフォーワードキャリア及び新たに確立されるバックワードキャリアに対応するフォーワードキャリアを含む。
【００７１】
（３）第２初期送信電力決定手段
当該手段は、前記既に存在する参照フォーワードキャリアのパイロット受信電力に基づいて、当該新たに確立されるバックワードキャリアのパイロット初期送信電力を決定する。
【００７２】
本発明の実施形態において、前記パイロット即ちパイロットチャネルが通信システムにおける電力基準チャネル、即ち他のチャネルの電力が当該電力基準チャネルに対して設置されるチャネルに拡張できることが明らかである。
【００７３】
上記は本発明の好ましい具体的な実施形態のみであり、本発明の保護範囲はそれに制限せず、該技術に詳しいいかなる人が本発明に掲げる技術範囲内で簡単に思い出される変更又は置き換えは、全部本発明の保護範囲内に含まれるべきである。そのため、本発明の保護範囲は、特許請求の範囲の保護範囲に準ずるべきである。
【図面の簡単な説明】
【００７４】
【図１】本発明の実施形態において、新たに確立されたバックワードキャリアの同一周波数帯内に、既に存在するバックワードキャリアがある場合を示す図である。
【図２】本発明の実施形態において、新たに確立されたバックワードキャリアの同一周波数帯内に既に存在するバックワードキャリアがない場合を示す図である。
【図３】本発明の実施形態に係る方法の流れ図である。
【図４】本発明の実施形態に係る装置の構成図である。
【国際調査報告】
2009505533.tif 000015
2009505533.tif 000016
2009505533.tif 000017
2009505533.tif 000018